(57)【特許請求の範囲】
【請求項１】
吊り天井の天井タイルおよび格子ティーを支持するために、地震活動のある場所において有用な幅広の壁用アングルであって、
細長ベースアングルと細長延出ストリップとの組立体を含み、ベースアングルは、互いに一体的でありかつ長手方向に延在する角部において交差するほぼ直角をなす脚部を有し、一方の脚部は、角部を下にして壁に対して固定されるように適合され、および他方の脚部は、壁から水平に突出するように適合されており、延出ストリップは水平脚部の幅よりも広い面を有し、延出ストリップは複数層構造を有し、延出ストリップの２つの層は、層と一体の中間ウェブによって近接して平行して一緒に保持され、２つの層の少なくとも一部分は、角部から間隔をあけられたベースアングルの水平脚部の少なくとも一部と摩擦係合するように配置されており、その結果、ストリップをベースアングルの水平脚部に組み立てかつ摩擦式に保持することができ、ベースアングルの水平脚部を延出ストリップの２つの層間に配置し、
前記延出ストリップの２つの層が、前記ベースアングルの水平脚部を収容するスロットを形成し、
スロットの幅が、ベースアングルの水平脚部の幅と少なくとも同じであることを特徴とする幅広の壁用アングル。
【請求項２】
前記延出ストリップが、３つの層に折り畳まれたシートメタルから作製されることを特徴とする請求項１に記載の幅広の壁用アングル。
【請求項３】
前記層の下層が、前記層の残りの層よりも幅広であることを特徴とする請求項２に記載の幅広の壁用アングル。
【請求項４】
前記スロットの幅が、延出ストリップの面の幅よりも狭いことを特徴とする請求項１に記載の幅広の壁用アングル。
【請求項５】
吊り天井の天井タイルおよび格子ティーを支持するために、地震活動のある場所において有用な幅広の壁用アングルであって、
細長ベースアングルと細長延出ストリップとの組立体を含み、ベースアングルは、互いに一体的でありかつ長手方向に延在する角部において交差するほぼ直角をなす脚部を有し、一方の脚部は、角部を下にして壁に対して固定されるように適合され、および他方の脚部は、壁から水平に突出するように適合されており、延出ストリップは水平脚部の幅よりも広い面を有し、延出ストリップは複数層構造を有し、延出ストリップの２つの層は、層と一体の中間ウェブによって近接して平行して一緒に保持され、２つの層の少なくとも一部分は、角部から間隔をあけられたベースアングルの水平脚部の少なくとも一部と摩擦係合するように配置されており、その結果、ストリップをベースアングルの水平脚部に組み立てかつ摩擦式に保持することができ、ベースアングルの水平脚部を延出ストリップの２つの層間に配置し、    
前記延出ストリップの２つの層がスロットを形成し、前記スロットを形成する上層が、第２の中間層に隣接する側面に縁取りを含み、および第３の層が延出ストリップの面を形成し、
前記スロットの幅が、前記面の幅よりも狭く、
前記延出ストリップの下層は自由縁部に縁取りを有し、前記自由縁部の縁取りの垂直寸法は、前記中間層および前記上層によって形成されたスロットを含む前記３つの層を合わせた厚さに近いことを特徴とする幅広の壁用アングル。
【請求項６】
前記ベースアングルの前記水平脚部は、前記延出ストリップの層の球状領域と係合する戻り止め形成部を有することを特徴とする請求項１に記載の幅広の壁用アングル。
【発明の詳細な説明】
【技術分野】
【０００１】
本発明は、吊り天井用の付属品に係り、より詳しくは、地震活動が発生し得る場所で使用するのにとりわけ好適な新規の壁用アングルに関する。
【背景技術】
【０００２】
従来の吊り天井設備では、壁用アングルを一般に壁に沿って使用して、天井タイルの縁部およびクロスティーの端部を支持する。予期された地震活動の場合、壁用アングルは、通常の幅よりも著しく幅広になるように仕様を定められており、その結果、限られた大きさの地震の最中に天井タイルまたは格子要素が滑り落ちる危険性を低減するようにしている。従来の広面型の壁用アングルは、壁がほとんど平坦ではないため問題を起こすことが多い。壁は通常、様々な理由により理想的な平面から逸れている。壁が平面から逸脱する一般的な理由は、乾式壁構造にテーパ継手があること、特に、テーパのないパネル縁部間に継手があることである。そのような継手は、訓練を積んでいない眼にはほとんど感知できない。しかしながら、従来の広面型の壁用アングルを、平坦ではない継手または他の不規則なものに取付ける場合、アングルの目に見える面が、水平面に対してそれたり当たったりすることにより歪められる。この歪みは外観上許容できないことが多い。
さらに、従来の耐震性壁用アングルに発生するこの座屈作用を隠すまたは取り除くための、簡単で容易に利用できる改善方法がないようである。
【発明の概要】
【発明が解決しようとする課題】
【０００３】
本発明は、アングルが、壁に存在する不均一なまたは非平面的な領域に取付けられるときに、広面にわたる歪みを効果的に排除または低減できる地震活動のある場所における使用に好適な広面型の壁用アングルの提供を目的とする。
【課題を解決するための手段】
【０００４】
本発明は、吊り天井の天井タイルおよび格子ティーを支持するために、地震活動のある場所において有用な幅広の壁用アングルであって、
細長ベースアングルと細長延出ストリップとの組立体を含み、ベースアングルは、互いに一体的でありかつ長手方向に延在する角部において交差するほぼ直角をなす脚部を有し、一方の脚部は、角部を下にして壁に対して固定されるように適合され、および他方の脚部は、壁から水平に突出するように適合されており、延出ストリップは水平脚部の幅よりも広い面を有し、延出ストリップは複数層構造を有し、延出ストリップの２つの層は、層と一体の中間ウェブによって近接して平行して一緒に保持され、２つの層の少なくとも一部分は、角部から間隔をあけられたベースアングルの水平脚部の少なくとも一部と摩擦係合するように配置されており、その結果、ストリップをベースアングルの水平脚部に組み立てかつ摩擦式に保持することができ、ベースアングルの水平脚部を延出ストリップの２つの層間に配置し、
前記延出ストリップの２つの層が、前記ベースアングルの水平脚部を収容するスロットを形成し、
スロットの幅が、ベースアングルの水平脚部の幅と少なくとも同じであることを特徴とする。
【０００５】
前記延出ストリップが、３つの層に折り畳まれたシートメタルから作製されることを特徴とする請求項１に記載の幅広の壁用アングル。
【０００６】
前記層の下層が、前記層の残りの層よりも幅広であることを特徴とする。
【０００７】
前記スロットの幅が、延出ストリップの面の幅よりも狭いことを特徴とする。
【０００８】
また、本発明は、吊り天井の天井タイルおよび格子ティーを支持するために、地震活動のある場所において有用な幅広の壁用アングルであって、
細長ベースアングルと細長延出ストリップとの組立体を含み、ベースアングルは、互いに一体的でありかつ長手方向に延在する角部において交差するほぼ直角をなす脚部を有し、一方の脚部は、角部を下にして壁に対して固定されるように適合され、および他方の脚部は、壁から水平に突出するように適合されており、延出ストリップは水平脚部の幅よりも広い面を有し、延出ストリップは複数層構造を有し、延出ストリップの２つの層は、層と一体の中間ウェブによって近接して平行して一緒に保持され、２つの層の少なくとも一部分は、角部から間隔をあけられたベースアングルの水平脚部の少なくとも一部と摩擦係合するように配置されており、その結果、ストリップをベースアングルの水平脚部に組み立てかつ摩擦式に保持することができ、ベースアングルの水平脚部を延出ストリップの２つの層間に配置し、    
前記延出ストリップの２つの層がスロットを形成し、前記スロットを形成する上層が、第２の中間層に隣接する側面に縁取りを含み、および第３の層が延出ストリップの面を形成し、
前記スロットの幅が、前記面の幅よりも狭く、
前記延出ストリップの下層は自由縁部に縁取りを有し、前記自由縁部の縁取りの垂直寸法は、前記中間層および前記上層によって形成されたスロットを含む前記３つの層を合わせた厚さに近いことを特徴とする。
【０００９】
前記ベースアングルの前記水平脚部は、前記延出ストリップの層の球状領域と係合する戻り止め形成部を有することを特徴とする。
【発明の効果】
【００１０】
本発明によれば、２部分からなる広面を生じさせることによって許容可能なレベルまで座屈の度合いを低減させる。
得られる構造は、これを用いなければ必要となる程度まで壁から遠い広面の部分を延伸させるまたは圧縮させる必要なく、非平面的な壁領域に適合できる。
好ましい実施形態では、壁用アングル組立体は、従来の等脚部分のベースアングルと、ベースアングルの水平脚部とはめ込み式となる脚部延出ストリップとを用いる。
図示のベースアングルは、層の等しい長さの脚部を有する一方、延出ストリップは、水平ベースアングル脚部に巻き付きかつそれを摩擦式に留める複数層構造である。この構成により、必然的にユニットの水平面にかけられる歪みをかなり低減させ、かつ延出ストリップが効果的にこの歪みの影響を受けないようにする。  すなわち、延出ストリップには、ベースアングルが非平面的な壁表面に適合するように曲げられるときにベースアングルに与えられる歪みがない。さらに、延出ストリップは、壁用アングルのなかで最も目に見える部分であり、かつベースアングルの水平脚部に生じた歪みの全てまたは一部を隠す部分にある。以下説明する実施形態では、ベースアングルおよび延出ストリップは、縁取られた縁部を有し、それらは、偶発的な分離およびそれらの理想的な線からの歪みに抵抗するように協働する。
【図面の簡単な説明】
【００１１】
【図１】本発明の壁用アングルが取付けられる壁の部分的な等角図を示す。
【図２】本発明の壁用アングルの部分的な拡大等角図を示す。
【発明を実施するための形態】
【００１２】
本発明に従って構成された壁用アングル１０は、ベースアングル１１および延出ストリップ１２を含む２部品組立体である。壁用アングル１０は、全体的に１３に示すように比較的幅広の水平方向側面を有するため、耐震の応用に特に好適である。
ベースアングルおよび延出ストリップの双方の構成部品１１、１２は単一のまたは一体形の要素であり、好ましくはロール成形されたシートメタル、一般に鋼、または一般的ではないが、アルミニウムから作製される。これらの構成部品１１、１２を形成する金属細長片に、コーティング、メッキまたはその他の処理を施して耐腐食性を与えることができ、かつそのように処理されていてもいなくても、通常、仕上げ塗装を施して外観を改善する。そのような処理および塗装は、通常、構成部品１１、１２をロール成形する前に行う。
【００１３】
ベースアングル１１および延出ストリップ１２は、例えば、１０フィートもしくは１２フィートまたはそのメートル法による等価物である標準的な長さが提供される。ベースアングル１１および延出ストリップ１２のプロファイルは、図面に動作中の組立体の一例として一定の縮尺で描かれている。ベースアングル１１を、予め塗装された０．０２０インチのＣＲＣＱ鋼製とすることができ、延出ストリップを、予め塗装された０．０１５インチのＣＲＣＱ鋼製とすることができる。
【００１４】
ベースアングル１１は、共通の角部１８から延出する、１−１／８インチよりもわずかに短い、長さの等しい水平脚部および垂直脚部１６、１７をそれぞれ有する。延出ストリップ１２の面幅は１−１／２インチである。ベースアングル１１の水平脚部１６は、これが作製されるシートメタル材料を狭幅に反対側に折り曲げることによって形成された、遠位縁部２１に沿った縁取り１９を有する。幅の中間において、ベースアングル１１の水平脚部１６に、その底面または表面２３のくぼみを反映する小さな形成物または突起２２の対を作製する。突起２２の対を、ベースアングル脚部１６の長さに沿って、例えば、中心から中心まで３インチで規則的に間隔をあけて配置する。垂直脚部１７を平面的にまたは平坦にし、かつ縁取りまたは突起をなくすことができる。
【００１５】
延出ストリップ１２を従来のロール成形技術によって、３つの本質的な層（ｐｒｉｎｃｉｐｌｅ  ｌａｙｅｒ）２６〜２８を有する平らなＺ形のストリップを特徴とするような形態に折り畳む。図示の構成では、底面２９が目に見える仕上げ面となる下層２６は、他の層２７、２８よりも幅広であり、およびその幅を約１−１／２インチとし得る。
【００１６】
中間層２７を、下層２６と共有する折り目または縁部３１から下層２６の上側に対して平らにまたは実質的に平らに折り畳むかまたは湾曲させる。中間層２７を、上層２８と共有する縁部またはウェブ３２で折り畳む。縁部または折り目３２を、下層または表面層２６の幅の２／３よりもわずかに大きい幅だけ、すなわち縁部３１から１インチよりもわずかに大きく間隔をあける。縁部３２での折り畳みはわずかに開放しているのでウェブを形成し、ならびに上層２８および中間層２７は、ベースアングル１１の水平脚部１６の縁取り１９を摺動可能に収容することができる空隙またはスロット３３を形成する。理想的には、空隙３３の幅は、少なくともベースアングル１１の水平脚部１６の幅と同じくらいである。折り畳み部３１の上に重なる上層２８の自由縁部３４は、同様に狭幅の比較的平坦
な縁取り３６を形成する。折り畳み部３１に対向する縁部にある、下層２６を形成する面は、この層の平面上に延在する一体的に形成された丸い中空ビード３７を有する。丸いビード３７のサイズは、その上端において上層２８の平面に接するようにされている。
【００１７】
図１に、本発明の耐震性壁用アングル１０の取付けの典型的な例を示す。ベースアングル１１をスクリューまたは他の留め具４２によって壁４１に固定し、好ましくは垂直スタッド４３に固着させる。ベースアングル１１を、壁４１を形成する乾式壁４４のシートに取付ける。非テーパ継手４６は、通常、壁４１の平面的なまたは平坦な主領域に関して局所的な非平坦領域を特徴とする。他の壁の構造および条件によって、同様に、真に平坦な壁表面から同様に逸れるようになる。
【００１８】
従来の壁用アングルのような、通常直線的なシャフト様のアングルの一方の脚部が、その平面から曲げられると、アングルの内部応力によって、他方の脚部がその平面から座屈される。通常、建築構造物における３／４インチ×３／４インチ〜約１インチ×１インチまでの壁用アングルは、垂直脚部が、通常のずれのある非平坦壁領域に曲げられるときに、水平脚部がその平面から座屈する度合いは、視覚的に許容可能な範囲であるか、または水平脚部を多かれ少なかれその平面に局所的に手動で曲げることにより許容可能にすることができる。壁用アングルの水平脚部が耐震の応用などのために比較的幅広である場合、壁の平坦さにおける通常のずれにより、水平脚部に全く許容できない座屈を生じる原因となり得、それは、実用的観点から、修正することはできない。
【００１９】
本発明は、比較的短い水平脚部の壁用アングルは、通常、平面から通常のずれを有する典型的な壁に取付けられるときに、好ましくない角度まで座屈することはないという事実を利用する。具体的には、本発明は、延出ストリップ１２からベースアングルの水平脚部１６にかけられる主内部曲げ応力の影響を効果的に受けないようにすることによって座屈の問題を解決する。ベースアングル１１内の応力の影響を受けないようにすることによって、延出ストリップ１２には、延出ストリップ１２がそれたり当たったりする原因となり得る直接的な内部応力が生じない。さらに、延出ストリップは実際に、ある程度の軽度なそのような座屈が生み出される可能性を有する程度にベースアングルの水平脚部１６の座屈の一部を抑える傾向がある。この抑制は、図示のように、ベースアングルの水平脚部１
６を延出ストリップ１２の下層２６と中間層２７との間に取り込んでいるために発生する。
【００２０】
通常、延出ストリップ１２の上層２８の球状縁取り３６は、ベースアングルの水平脚部１６の突出部または突起２２の隣接する対間に収容されかつ戻り止めされている。延出ストリップ１２は、ロール成形された構成を維持するように延出ストリップ層２６〜２８の自然なバネ様の作用によって縁取り３６が配置される位置にバイアスされるか、または指定された位置に留まる（ｉｎｄｅｘｅｄ）傾向がある。ベースアングル１１および延出ストリップ１２の構成は、ベースアングルの水平脚部１６の延出ストリップの摩擦グリップが、これらの部品が組み立てられたときに存在するようになっている。このグリップは、ベースアングル脚部の頂面の、縁取り３６とベースアングル脚部１６との間および／または上層２８と縁取り１９との間に、ならびにベースアングル脚部の底面の、中間層２７と
ベースアングル脚部との間に設けられる。
【００２１】
上述の説明は一例にすぎず、この説明に含まれる教示の正当な範囲から逸脱することなく、詳細に追加、修正または削除を行うことによって様々な変更をなし得ることは明白である。それゆえ、本発明は、以下の特許請求の範囲が必要に応じて限定される場合を除いて、この説明の特定の詳細事項に限定されない。
【符号の説明】
【００２２】
１０  壁用アングル
１１  ベースアングル
１２  延出ストリップ
１６  水平脚部
１７  垂直脚部
１８  共通の角部
１９  縁取り
２１  遠位縁部
２２  突起
２３  くぼみ
２６  下層
２７  中間層
２８  上層
２９  底面
３１  縁部、折り畳み部
３２  縁部、折り目、ウェブ
３３  空隙、スロット
３４  自由縁部
３６  縁取り
３７  ビード
４１  壁
４２  留め具
４３  垂直スタッド
４４  乾式壁
４６  非テーパ継手
【図１】
0005412675.tif 000002
【図２】
0005412675.tif 000003